【手続補正書】
【提出日】平成19年5月24日(2007.5.24)
【手続補正１】
【補正対象書類名】特許請求の範囲
【補正対象項目名】全文
【補正方法】変更
【補正の内容】
【特許請求の範囲】
【請求項１】
画像形成装置に供されるとともに、ファイルシステムを有するカード型メモリであって、
前記ファイルシステム外の領域に、前記画像形成装置に搭載されるプログラムを動作させるオペレーティングシステムと、画像形成を実行する画像形成プログラムと、前記プログラムを起動する起動プログラムと、前記画像形成装置のプログラムを復旧するレスキュープログラムと、該レスキュープログラムを起動する起動レスキュープログラムとが記憶されたことを特徴とするカード型メモリ。
【請求項２】
画像形成装置に供されるとともに、ファイルシステムを有するカード型メモリであって、
前記ファイルシステム外の領域に、前記画像形成装置のプログラムを復旧するレスキュープログラムと、該レスキュープログラムを起動する起動レスキュープログラムとが記憶され、
前記ファイルシステム内の領域に、前記画像形成装置に搭載されるプログラムを動作させるオペレーティングシステムと、画像形成を実行する画像形成プログラムと、前記プログラムを起動する起動プログラムとが記憶されたことを特徴とするカード型メモリ。
【請求項３】
前記画像形成装置を起動するためのブートローダプログラムが記憶されたことを特徴とする請求項１又は２に記載のカード型メモリ。
【請求項４】
請求項１から３のいずれか１項に記載のカード型メモリのインターフェースを有することを特徴とする画像形成装置。
【請求項５】
前記ファイルシステム外の領域をマッピングする第１の記憶手段を有することを特徴とする請求項４に記載の画像形成装置。
【請求項６】
前記第１の記憶手段または前記カード型メモリのファイルシステム内に記憶されたプログラムが展開される第２の記憶手段を有することを特徴とする請求項５に記載の画像形成装置。
【請求項７】
前記カード型メモリのファイルシステムをマウントするファイルシステムマウント手段を有することを特徴とする請求項４から６のいずれか１項に記載の画像形成装置。
【請求項８】
画像形成装置に係る処理を行う処理プログラムと前記画像形成装置のプログラムの復旧に係る処理を行う復旧プログラムと前記画像形成装置を起動する第１のブートローダプログラムとがファイルシステム外の領域に記憶されたカード型メモリに対し、前記ファイルシステム外の領域を可視可能な画像形成装置での画像形成装置起動方法であって、
前記画像形成装置が有し、前記プログラムの復旧が必要かどうかを示すレスキューフラグを前記第１のブートローダプログラムがチェックするレスキューフラグチェック段階と、
前記レスキューフラグチェック段階で復旧が不必要と判断された場合、
前記処理プログラムに含まれる第２のブートローダプログラムを起動するブートローダ起動段階と、
前記処理プログラムに含まれるオペレーティングシステムを起動するオペレーティングシステム起動段階と、
前記処理プログラムに含まれる画像形成プログラムを起動する画像形成プログラム起動段階と
を有することを特徴とする画像形成装置起動方法。
【請求項９】
前記レスキューフラグチェック段階の後に、
前記処理プログラムを前記画像形成装置が有する記憶部へ展開する処理プログラム展開段階を有することを特徴とする請求項８に記載の画像形成装置起動方法。
【請求項１０】
前記レスキューフラグチェック段階で復旧が必要と判断された場合は、
前記復旧プログラムに含まれるレスキューオペレーティングシステムを起動するレスキューオペレーティングシステム起動段階と、
前記復旧プログラムに含まれるレスキュープログラムを起動するレスキュープログラム起動段階と
を有することを特徴とする請求項８に記載の画像形成装置起動方法。
【請求項１１】
前記レスキューフラグチェック段階の後に、
前記復旧プログラムを前記画像形成装置が有する記憶部へ展開する復旧プログラム展開段階を有することを特徴とする請求項１０に記載の画像形成装置起動方法。
【請求項１２】
画像形成装置に係る処理を行う処理プログラムがファイルシステム内に記憶され、前記画像形成装置のプログラムの復旧に係る処理を行う復旧プログラムと前記画像形成装置を起動する第１のブートローダプログラムとがファイルシステム外の領域に記憶されたカード型メモリに対し、前記ファイルシステム外の領域を可視可能な画像形成装置での画像形成装置起動方法であって、
前記画像形成装置が有し、前記プログラムの復旧が必要かどうかを示すレスキューフラグを前記第１のブートローダプログラムが判断するレスキューフラグチェック段階と、
前記レスキューフラグチェック段階で復旧が不必要と判断された場合は、
前記処理プログラムを前記画像形成装置が有する記憶部へ展開する処理プログラム展開段階と、
展開された前記処理プログラムに含まる第２のブートローダプログラムを起動するブートローダ起動段階と、
展開された前記処理プログラムに含まれるオペレーティングシステムを起動するオペレーティングシステム起動段階と、
展開された前記処理プログラムに含まれる画像形成プログラムを起動する画像形成プログラム起動段階と
を有することを特徴とする画像形成装置起動方法。
【請求項１３】
前記レスキューフラグチェック段階で復旧が必要と判断された場合は、
前記復旧プログラムに含まれるレスキューオペレーティングシステムを起動する復旧用オペレーティングシステム起動段階と、
前記復旧プログラムに含まれるレスキュープログラムを起動するレスキュープログラム起動段階と
を有することを特徴とする請求項１２に記載の画像形成装置起動方法。
【請求項１４】
画像形成装置に係る処理を行う処理プログラムがファイルシステム内に記憶され、前記画像形成装置のプログラムの復旧に係る処理を行う復旧プログラムと前記画像形成装置を起動する第１のブートローダプログラムとがファイルシステム外の領域に記憶されたカード型メモリに対し、前記ファイルシステム外の領域を可視可能な画像形成装置での画像形成装置起動方法であって、
前記画像形成装置が有し、前記プログラムの復旧が必要かどうかを示すレスキューフラグを前記第１のブートローダプログラムが判断するレスキューフラグチェック段階と、
前記レスキューフラグチェック段階で復旧が不必要と判断された場合は、
前記処理プログラムに含まれる第２のブートローダプログラムとオペレーティングシステムとを前記画像形成装置が有する記憶部へ展開する処理プログラム展開段階と、
展開された前記第２のブートローダプログラムを起動するブートローダ起動段階と、
展開されたオペレーティングシステムを起動するオペレーティングシステム起動段階と、
前記ファイルシステムをマウントするファイルシステムマウント段階と、
前記ファイルシステムマウント段階で可視可能となった前記処理プログラムに含まれる画像形成プログラムを起動する画像形成プログラム起動段階と
を有することを特徴とする画像形成装置起動方法。
【請求項１５】
前記レスキューフラグチェック段階で復旧が必要と判断された場合は、
前記復旧プログラムに含まれるレスキューオペレーティングシステムを起動する復旧用オペレーティングシステム起動段階と、
前記復旧プログラムに含まれるレスキュープログラムを起動するレスキュープログラム起動段階と
を有することを特徴とする請求項１４に記載の画像形成装置起動方法。
【請求項１６】
前記レスキューフラグチェック段階の後に、
前記復旧プログラムを前記画像形成装置が有する記憶部へ展開する復旧プログラム展開段階を有することを特徴とする請求項１４に記載の画像形成装置起動方法。
【手続補正２】
【補正対象書類名】明細書
【補正対象項目名】００１１
【補正方法】変更
【補正の内容】
【００１１】
上記課題を解決するために、本発明は、前記ファイルシステム外の領域に、前記画像形成装置に搭載されるプログラムを動作させるオペレーティングシステムと、画像形成を実行する画像形成プログラムと、前記プログラムを起動する起動プログラムと、前記画像形成装置のプログラムを復旧するレスキュープログラムと、該レスキュープログラムを起動する起動レスキュープログラムとが記憶されたことを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
また、上記課題を解決するために、本発明は、画像形成装置に供されるとともに、ファイルシステムを有するカード型メモリであって、前記ファイルシステム外の領域に、前記画像形成装置のプログラムを復旧するレスキュープログラムと、該レスキュープログラムを起動する起動レスキュープログラムとが記憶され、前記ファイルシステム内の領域に、前記画像形成装置に搭載されるプログラムを動作させるオペレーティングシステムと、画像形成を実行する画像形成プログラムと、前記プログラムを起動する起動プログラムとが記憶されたことを特徴とする。
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】